(57)【要約】【課題】  左クリップと右クリップによる衣類の挟持操作を別々に行うことができるとともに、衣類掛けバー以上に幅がある衣類や折り畳みたくない衣類は折り畳むことなく保持できるハンガーを提供することを目的としている。【解決手段】上着を掛ける八の字形態のハンガー本体２と、このハンガー本体２を掛けるフック３と、ハンガー本体２の左右端方に間隔をあけて立ち下がるように設けられた左立ち下げ部４、右立ち下げ部５と、左立ち下げ部４と右立ち下げ部５の間に架けるように設けられた衣類掛けバー７と、左立ち下げ部４、右立ち下げ部５に設けられた縦長孔形態のバー案内孔８、８と、衣類掛けバー７とハンガー本体２との間で左立ち下げ部と右立ち下げ部の間に架けるように設けられ、且つ、バー案内孔８、８に支持案内されて上下移動自在に設けられたクリップ支持バー９と、このクリップ支持バー９に上下に移動可能に設けられた左クリップ１０、右クリップ１１とからなっている。【選択図】図１
0003135488.tif 000002
【実用新案登録請求の範囲】
【請求項１】
上着を掛けるハンガー本体と、
このハンガー本体の左右端方に間隔をあけて立ち下がるように設けられた左立ち下げ部、右立ち下げ部と、
前記左立ち下げ部と右立ち下げ部の間に架けるように設けられた衣類掛けバーと、
この衣類掛けバーと前記ハンガー本体との間で前記左立ち下げ部と右立ち下げ部の間に架けるように設けられたクリップ支持バーと、
このクリップ支持バーに上下に移動可能に設けられた左クリップ、右クリップと、
この左クリップ、右クリップに設けられた前記衣類掛けバーに掛けられた衣類を該衣類掛けバーとともに付勢挟持する掛けバー挟持部と、
前記左クリップ、右クリップに設けられた該衣類掛けバーに掛けないで該衣類掛けバーの下方に位置させた衣類を付勢挟持して吊り状態に保持する挟持嘴部と、
前記左クリップ、右クリップに設けられた前記挟持嘴部で衣類を挟持する状態において前記衣類掛けバー部位に位置して該衣類掛けバーの挟持を回避する掛けバー挟持回避部とからなることを特徴とするハンガー。
【考案の詳細な説明】
【技術分野】
【０００１】  本考案は、ズボンやスカートなどの保持が二通りから選べるハンガーに関するものである。
【背景技術】
【０００２】  ハンガー本体の内側にバー状の左立ち下げ部、右立ち下げ部を設け、この左立ち下げ部、右立ち下げ部に支持された上下移動する上下移動部材を設け、この上下移動部材に左クリップと右クリップを固定し設け、左クリップと右クリップの下方には衣類掛けバーを設けてなるハンガーが知られている（例えば特許文献１）。【０００３】  しかし、上下移動部材に左クリップと右クリップともに固定されているために、衣類の挟持操作は両手で左右クリップを同時に開き操作しなければならないものであるので、ハンガーをハンガー掛けに掛けた状態では、衣類掛けバーへの衣類の掛けは衣類が滑り落ちない半分折程度まで入れなければならないものである。すなわち、もっとも早く簡単なズボン掛け操作である、ズボンの裾をわずかな折としてそれを一方の手で支持して、他方の手での一方のクリップの片手操作で挟持させる操作が行えないという欠点を有するものであった。
また、衣類掛バー部に掛けた状態でしか衣類をクリップで挟持保持できなかったので、スカートなどの衣類掛けバーの幅以上に幅のあるもの場合は折り畳まないと保持できないという欠点を有するものであった。
【特許文献１】実開平７−４３８２４
【非特許文献１】特になし
【考案の開示】
【考案が解決しようとする課題】
【０００４】  解決しようとする問題点は、左クリップと右クリップによる衣類の挟持操作を別々に行うことができない点と、衣類掛けバー以上に幅がある衣類や折り畳みたくない衣類は折り畳まなければ保持することができない点である。
すなわち本考案の目的は、左クリップと右クリップによる衣類の挟持操作を別々に行うことができるとともに、衣類掛けバー以上に幅がある衣類や折り畳みたくない衣類は折り畳むことなく保持できるハンガーを提供することを目的としている。
【課題を解決するための手段】
【０００５】  本考案は、上着を掛けるハンガー本体と、このハンガー本体の左右端方に間隔をあけて立ち下がるように設けられた左立ち下げ部、右立ち下げ部と、前記左立ち下げ部と右立ち下げ部の間に架けるように設けられた衣類掛けバーと、この衣類掛けバーと前記ハンガー本体との間で前記左立ち下げ部と右立ち下げ部の間に架けるように設けられたクリップ支持バーと、このクリップ支持バーに上下に移動可能に設けられた左クリップ、右クリップと、この左クリップ、右クリップに設けられた前記衣類掛けバーに掛けられた衣類を該衣類掛けバーとともに付勢挟持する掛けバー挟持部と、前記左クリップ、右クリップに設けられた該衣類掛けバーに掛けないで該衣類掛けバーの下方に位置させた衣類を付勢挟持して吊り状態に保持する挟持嘴部と、前記左クリップ、右クリップに設けられた前記挟持嘴部で衣類を挟持する状態において前記衣類掛けバー部位に位置して該衣類掛けバーの挟持を回避する掛けバー挟持回避部とからなることを特徴とするハンガーである。
【考案の効果】
【０００６】  本考案のハンガーは、左クリップと右クリップが別々に上下移動操作することができるので、左手で衣類掛けバーに裾を掛けたズボンを支持し、右手で右クリップを操作してズボンを挟持し、次に左クリップを操作してズボンを挟持することができるので、衣類の掛け操作および挟持操作が行いやすいという利点がある。
さらに、スカートなどの折り畳みたくない衣類の取り付けは、右手で右クリップを掛けバー挟持回避部が衣類掛けバーに位置するまで下ろし挟持嘴部を開き、左手で衣類を持ち支持して挟持嘴部で挟持し、左クリップを掛けバー挟持回避部が衣類掛けバーに位置するまで下ろし衣類の左側を挟持することが簡単にできるという利点がある。
【考案を実施するための最良の形態】
【０００７】  左クリップと右クリップによる衣類の挟持操作を別々に行うことができるとともに、衣類掛けバー以上に幅がある衣類や折り畳みたくない衣類は折り畳むことなく保持できるハンガーを提供するという目的を、左右のクリップをそれぞれ独立に上下移動操作できるようにするとともに、衣類掛けバーに衣類を掛けなくても左右のクリップで衣類を挟持して吊り保持できるという構成により実現した。
【実施例】
【０００８】  図１〜図４に示す本考案の第１の実施例において１はハンガーであって、このハンガー１は上着を掛ける八の字形態のハンガー本体２と、このハンガー本体２を掛けるフック３と、ハンガー本体２の左右端方に間隔をあけて立ち下がるように設けられた左立ち下げ部４、右立ち下げ部５と、左立ち下げ部４と右立ち下げ部５の間に架けるように設けられた衣類掛けバー７と、左立ち下げ部４、右立ち下げ部５に設けられた縦長孔形態のバー案内孔８、８と、衣類掛けバー７とハンガー本体２との間で左立ち下げ部と右立ち下げ部の間に架けるように設けられ、且つ、バー案内孔８、８に支持案内されて上下移動自在に設けられたクリップ支持バー９と、このクリップ支持バー９に上下に移動可能に設けられた左クリップ１０、右クリップ１１とからなっている。
衣類掛けバー７は回転自在とするのがよい。また、左クリップ、右クリップと一体形成されてなるものもよい。
クリップ支持バー９が上下移動するので左クリップ１０、右クリップ１１を短い形態とできる。【０００９】  左クリップ１０、右クリップ１１は、バネ（図示せず）よって閉じ付勢状態とされるとともに、衣類掛けバー７に掛けられた衣類を衣類掛けバー７とともに付勢挟持する凹み形態の掛けバー挟持部１２と、衣類掛けバー７に掛けないで該７の下方に位置させた衣類１４ａを付勢挟持して吊り状態に保持する挟持嘴部１３と、この挟持嘴部１３で衣類１４ａを挟持する状態において衣類掛けバー７部位に位置して該７の挟持を回避するための掛けバー挟持部１２の上方に形成された掛けバー挟持回避部１５とを備えている。
左クリップ１０、右クリップ１１は軸支部がクリップ支持バー９に当たる最大下げ状態として、衣類掛けバー７に掛けた衣類を挟持することができるので、掛けバー挟持部１２は凹み形成しないストレートな形態とするのもよい。【００１０】［考案の異なる実施の形態］
以下に本考案の異なる実施の形態について説明する。説明にあたって前述した実施の形態と同一の構成部分については同じ符号を付しその説明を省略する。【００１１】  図５に示す本考案を実施するための第２の実施の形態において前記第１の実施の形態と主に異なる点は、バー案内孔８を設けずクリップ支持バー９を左立ち下げ部４、右立ち下げ部５に固定したハンガー１Ａを形成した点にある。クリップは実施の形態１より長めの左クリップ１０ａ、右クリップ１１ａとしている。
このような構成としても、第１の実施例と同様な効果を奏する。【００１２】  図６に示す本考案を実施するための第２の実施の形態において前記第２の実施の形態と主に異なる点は、掛けバー挟持部１２の上部にクリップが閉じた状態では衣類掛けバー７より狭くしたバー掛り部１６を有する左クリップ１０ｂ、右クリップ１１ｂとし、ハンガー本体２の下方側に左クリップ１０ｂ、右クリップ１１ｂが倒れないようにするクリップ倒れ阻止バー１７を設けたハンガー１Ｂを形成した点にある。
バー掛リ部１６でそれ以上クリップが下がらないようにしてクリップ倒れ阻止バー１７にクリップがかかってハンガー内から倒れ外れないようにできる。
このような構成としても、第１の実施例と同様な効果を奏する。
【産業上の利用可能性】
【００１３】  本考案はハンガーを製造する産業で利用される。
【図面の簡単な説明】
【００１４】
【図１】本考案の第１の実施例の正面図。
【図２】本考案の第１の実施例の側面図。
【図３】図１のＡ−Ａ線切断断面図とクリップの動作説明図。
【図４】本考案の第１の実施例の使用状態を示す正面図。
【図５】本考案の第２の実施例の使用状態を示す断面図。
【図６】本考案の第３の実施例の使用状態を示す断面図。
【符号の説明】
【００１５】１、１Ａ、１Ｂ：ハンガー、    ２：ハンガー本体、    ３：フック、    ４：左立ち下げ部、    ５：右立ち下げ部、    ７：衣類掛けバー、    ８：バー案内孔、    ９：クリップ支持バー、    １０、１０ａ、１０ｂ：左クリップ、    １１、１１ａ、１１ｂ：右クリップ、    １２：掛けバー挟持部、    １３：挟持嘴部、    １４ａ、１４ｂ：衣類、    １５：掛けバー挟持回避部、    １６：バー掛り部、    １７：クリップ倒れ阻止バー。
【図１】
0003135488.tif 000003
【図２】
0003135488.tif 000004
【図３】
0003135488.tif 000005
【図４】
0003135488.tif 000006
【図５】
0003135488.tif 000007
【図６】
0003135488.tif 000008